(57)【要約】【課題】ＦＭ多重放送波とテレビ放送波を受信する機能とを備え、強電界において相互変調が生じても利得が抑制されることなくＦＭ多重放送波を受信し得るＦＭ多重放送受信対応テレビ受信装置を提供する。【解決手段】ＦＭ多重放送波とテレビ放送波が混在する電気信号を受信し、ＦＭ多重信号及び映像信号と音声信号を出力可能な高周波受信部１５と、高周波受信部１５で受信された電気信号からＴＶ受信時には映像中間波信号を用いて自動利得調整を行い、ＦＭ多重放送波受信時には自動利得調整部１３の電圧を強制的に変化させて利得を下げるための切り替え用のスイッチ１９を設けた。そして、映像中間波信号が存在しないＦＭ多重放送受信時には、スイッチ１９を切り替え、自動利得調整部の電圧を強制的に変化させて利得を下げることによって、強電界地域において相互変調が生じても利得が抑制されることなくＦＭ多重放送波を受信できるようにした。【選択図】　図１
2004015244.tif 000002
【特許請求の範囲】
【請求項１】
ＦＭ多重放送波とテレビ放送波とが混在する放送波を受信し、ＦＭ多重信号と映像信号と音声信号とを出力可能な受信手段と、
前記受信手段で受信された放送波からＴＶ受信時には映像中間波信号を用いて自動利得調整を行う自動利得調整部と、ＦＭ多重放送受信時には前記自動利得調整部の電圧を強制的に変化させて利得を下げる切替手段とを設けたことを特徴とするＦＭ多重放送受信対応テレビ受信装置。
【請求項２】
前記切替手段は、前記ＦＭ多重放送受信時には、音声中間周波信号を振幅検波した信号を用いて比例的に前記自動利得調整部の電圧を変化させることを特徴とする請求項１記載のＦＭ多重放送受信対応テレビ受信装置。
【請求項３】
音声中間周波信号を振幅検波した信号の振幅に比例して前記自動利得調整部の電圧を変化させる手段としてインバータを用いたことを特徴とする請求項２記載のＦＭ多重放送受信対応テレビ受信装置。
【請求項４】
前記ＦＭ多重放送受信時には、音声中間周波信号を振幅検波した信号の電圧をマイクロコンピュータで判断し、前記マイクロコンピュータが可変電源部の電圧を用いて自動利得調整部の電圧を変化させることを特徴とする請求項１記載のＦＭ多重放送受信対応テレビ受信装置。
【請求項５】
前記切替手段による選択動作をマイクロコンピュータで制御する構成としたことを特徴とする請求項１から４のいずれかに記載のＦＭ多重放送受信対応テレビ受信装置。
【発明の詳細な説明】
【０００１】
【発明の属する技術分野】
本発明は、例えば自動車、バス、電車等の車両に搭載されてＦＭ多重放送を受信する機能を兼ね備えたＦＭ多重放送受信対応テレビ受信装置に関するものである。
【０００２】
【従来の技術】
従来、車両に搭載されるＦＭ多重放送受信対応テレビ受信装置として、図７に示すようなＦＭ多重放送受信対応テレビ受信装置１００が知られている。
【０００３】
ＦＭ多重放送受信対応テレビ受信装置１００において、アンテナ１１１は、ＦＭ多重放送波とテレビ放送波を受信し、その受信した電波を電気信号に変換し、ＴＶ信号・ＦＭ多重信号受信装置１１２内の高周波受信部（チューナ）１１３に入力する。高周波受信部１１３は、テレビ放送受信用のものであるが、ＦＭ多重放送にも対応するように受信帯域を広げてあり、電気信号が入力されると、入力された電気信号から所定の周波数の電気信号を選出し、選出した電気信号を周波数変換して中間周波信号を生成し出力する。また、高周波受信部１１３では、ＦＭ多重放送受信対応テレビ受信装置１００がＦＭ多重放送を受信するモードに選択設定されているときには、中間周波信号の中からＦＭ多重放送に関係する周波数の中間周波信号を選出し、選出した中間周波信号を音声検波部１１４に入力する。音声検波部１１４は、中間周波信号が入力されると、入力された中間周波信号から音声信号を生成し、生成した音声信号をＴＶ信号・ＦＭ多重信号受信装置１１２外に出力する。これに対して、ＦＭ多重放送受信対応テレビ受信装置１００がテレビ放送を受信するモードに選択設定されているときには、高周波受信部１１３では入力された中間周波信号の中からテレビ放送に関係する周波数の中間周波信号を選出し、選出した中間周波信号を音声検波部１１４に入力するとともに、入力された中間周波信号の中から映像信号に関係する周波数の中間周波信号を選出し、選出した中間周波信号を映像検波部１１５に入力する。そして、音声検波部１１４は、中間周波信号が入力されると、入力された中間周波信号から音声信号を生成し、生成した音声信号をＴＶ信号・ＦＭ多重信号受信装置１１２外に出力する。また、映像検波部１１５は、中間周波信号が入力されると、入力された中間周波信号から映像信号を生成し、生成した映像信号をＴＶ信号・ＦＭ多重信号受信装置１１２外に出力する。また、ＴＶ受信時には、映像中間周波信号を用いてＡＧＣ（自動利得調整）をかけている。
【０００４】
このように、従来の多重内蔵テレビ受信装置１００では、一つのテレビ放送受信用の高周波受信部１１３の受信帯域を広げてＦＭ多重放送を受信し、ＦＭ多重信号を出力している。
【０００５】
【発明が解決しようとする課題】
しかし、このような従来のＦＭ多重放送受信対応テレビ受信装置１００では、一つのテレビ放送受信用の高周波受信部１１３の受信帯域を広げてＦＭ多重放送を受信し、ＦＭ多重信号を出力しているが、ＦＭ多重放送をＴＶチューナで受信する場合、映像信号が無いため自動利得調整が効かず、最大利得となり、強電界地域において相互変調が生じた時に利得が抑制されてしまうという問題点があった。
【０００６】
本発明はこのような問題を解決するためになされたもので、その目的はＦＭ多重放送波とテレビ放送波を受信する機能を兼ね備えたものにおいて、強電界において相互変調が生じても利得が抑制されることなくＦＭ多重放送波を受信することができるＦＭ多重放送受信対応テレビ受信装置を提供するものである。
【０００７】
【課題を解決するための手段】
本発明のＦＭ多重放送受信対応テレビ受信装置は、ＦＭ多重放送波とテレビ放送波が混在する放送波を受信し、ＦＭ多重信号及び映像信号と音声信号を出力可能な受信手段と、前記受信手段で受信された放送波からＴＶ受信時には映像中間波信号を用いて自動利得調整を行う自動利得調整部と、ＦＭ多重放送受信時には前記自動利得調整部の電圧を強制的に変化させて利得を下げる切替手段とを設けた構成を有している。この構成によれば、ＦＭ多重放送受信時には自動利得調整部の電圧を強制的に変化させて利得を下げるので、強電界地域において相互変調が生じても利得が抑制されることなくＦＭ多重放送を受信することができることとなる。
【０００８】
また、本発明のＦＭ多重放送受信対応テレビ受信装置は、前記切替手段は、前記ＦＭ多重放送受信時には、音声中間周波信号を振幅検波した信号を用いて比例的に前記自動利得調整部の電圧を変化させる構成を有している。この構成によれば、ＦＭ多重放送受信時には、音声中間周波を振幅検波した信号を用いて比例的に自動利得調整部の電圧を変化させて落とすことができるので、強電界地域でも相互変調により利得が抑制されずにＦＭ多重放送を受信することができることとなる。
【０００９】
また、本発明のＦＭ多重放送受信対応テレビ受信装置は、音声中間周波信号を振幅検波した信号の振幅に比例して前記自動利得調整部の電圧を変化させる手段としてインバータを用いた構成を有している。この構成によれば、ＦＭ多重放送受信時には、音声中間周波を振幅検波した信号を用いて比例的に自動利得調整部の電圧をインバータにより変化させて落とすことができるので、強電界地域でも相互変調により利得が抑制されずにＦＭ多重放送を受信することができることとなる。
【００１０】
また、本発明のＦＭ多重放送受信対応テレビ受信装置は、ＦＭ多重放送受信時には、音声中間周波信号を振幅検波した信号の電圧をマイクロコンピュータで判断し、前記マイクロコンピュータが可変電源部の電圧を用いて自動利得調整部の電圧を変化させ、また、前記切替手段による選択動作をマイクロコンピュータで制御する構成を有している。この構成によれば、ＦＭ多重放送受信時に自動利得調整部の電圧を強制的に変化させて利得を下げるという操作を、マイクロコンピュータの操作により自動的に処理することが可能になる。
【００１１】
【発明の実施の形態】
（実施の形態１）
以下、本発明の第１の実施の形態におけるＦＭ多重放送受信対応テレビ受信装置について、図面を参照しながら説明する。図１は本発明の第２の実施の形態に係るＦＭ多重放送受信対応テレビ受信装置の内部構成を示すブロック図である。図１のＦＭ多重放送受信対応テレビ受信装置１０は、アンテナ１１、ＴＶ信号・ＦＭ多重信号受信装置１２、自動利得調整部１３、マイクロコンピュータ１４を有する。また、ＴＶ信号・ＦＭ多重信号受信装置１２は、高周波受信部１５、音声検波部１６、映像検波部１７で構成され、さらに自動利得調整部１３は定電圧部１８、スイッチ１９を有している。
【００１２】
さらに詳述すると、アンテナ１１は、ＦＭ多重放送波とテレビ放送波（或いはテレビ電波）を受信し、その受信した放送波を電気信号に変換し、ＴＶ信号・ＦＭ多重信号受信装置１２内の受信手段（チューナ）である高周波受信部１５に入力する。高周波受信部１５では、ＴＶ放送波受信用のものであるが、ＦＭ多重放送波の受信にも対応するように、その受信帯域を広げてあり、電気信号が入力されると、入力された電気信号から所定の周波数の電気信号を選出し、選出した電気信号を周波数変換して中間周波信号を生成し出力する。ここでの出力では、ＦＭ多重放送受信対応テレビ受信装置１０がＦＭ多重放送モードに設定されているとき、入力された電気信号の中からＦＭ多重放送に関係する周波数の中間周波信号を選出し、選出した中間周波信号を音声検波部１６に入力する。これに対して、ＦＭ多重放送受信対応テレビ受信装置１０がテレビ放送モードに設定されているとき、入力された電気信号の中からテレビ放送に関係する周波数の中間周波信号を選出し、選出した中間周波信号を音声検波部１６に入力するとともに、入力された中間周波信号の中から映像信号に関係する周波数の中間周波信号を選出し、選出した中間周波信号を映像検波部１７に入力する。
【００１３】
音声検波部１６は、高周波受信部１５から中間周波信号が入力されると、入力された中間周波信号から音声信号を生成し、生成した音声信号をＴＶ信号・ＦＭ多重信号受信装置１２外に出力する。映像検波部１７は、高周波受信部１５から中間周波信号が入力されると、入力された中間周波信号から映像信号を生成し、生成した映像信号をテレビ信号受信装置１２外に出力する。
【００１４】
自動利得調整部１３は、ＴＶ放送モードのときには、映像検波部１７に流れる電流を検出して、この電流に応じて高周波受信部１５の利得を制御するものである。また、自動利得調整部１３内の定電圧部１８は、ＦＭ多重放送モードのときにスイッチ１９の切り替えで高周波受信部１５に接続され、自動利得調整部１３内の電圧を強制的に定電圧にし、高周波受信部１５に対する利得を下げる。
【００１５】
マイクロコンピュータ１４は、上記スイッチ１９の切り替え操作は勿論のこと、ＦＭ多重放送受信対応テレビ受信装置１０の全体を制御するものである。図２はマイクロコンピュータ１４によるスイッチ１９の切り替え手順を示すフロー図である。図２のフロー図とともに本実施の形態１におけるＦＭ多重放送受信対応テレビ受信装置１０の動作を次に説明する。
【００１６】
（テレビ放送モード時）
ＦＭ多重放送受信対応テレビ受信装置１０がスイッチオン操作されて動作がスタートすると、マイクロコンピュータ１４は、ＴＶ信号が選択されたか否かをチェックし（ステップＳＴ１）、ＴＶ信号が選択されていなければ次にＦＭ多重信号が選択されたか否かをチェックし（ステップＳＴ３）、このＦＭ多重信号も選択されていなければ再度ＴＶ信号が選択されたか否かをチェックする（ステップＳＴ１）。これにより操作者によるモード選択操作があったか否かのチェックが繰り返される。このチェック動作中において、操作者が図示せぬ操作釦を介してテレビ放送モードを選択すると、マイクロコンピュータ１４は、ステップＳＴ１において、ＴＶ信号が選択されたことを認識してステップＳＴ２へ移行し、スイッチ１９を制御して、定電圧部１８を高周波受信部１５から切り離す。図２に示すフロー図の左側の処理ブロックは、この処理動作手順を説明するものである。このテレビ放送モード状態では、アンテナ１１がＦＭ多重放送波とテレビ放送波を受信し、その受信した電波が電気信号に変換されて高周波受信部１５に入力される。高周波受信部１５は、電気信号が入力されると、入力された電気信号から所定の周波数の電気信号を選出し、さらに選出した電気信号を周波数変換してＴＶ放送に関係する周波数の中間周波信号を選出し、選出した中間周波信号を音声検波部１６に入力するとともに、入力された中間周波信号の中から映像信号に関係する周波数の中間周波信号を選出し、選出した中間周波信号を映像検波部１７に入力する。そして、音声検波部１６は、中間周波信号が入力されると、入力された中間周波信号から音声信号を生成し、生成した音声信号をＴＶ信号・ＦＭ多重信号受信装置１２外に出力する。また、映像検波部１７は、中間周波信号が入力されると、入力された中間周波信号から映像信号を生成し、生成した映像信号をテレビ信号受信装置１２外に出力する。さらに、このとき、自動利得調整部１３は、映像検波部１７に流れる電流を検出し、この電流に応じて高周波受信部１５の利得を制御することにより通常の自動利得調整を行なう。マイクロコンピュータ１４はステップＳＴ２の処理を実行した後はステップＳＴ１に戻り、操作者による選択操作があったか否かのチェックを行なう。
【００１７】
（ＦＭ多重放送モード時）
上述したのと同様に、マイクロコンピュータ１４が、操作者によるモード選択操作があったか否かのチェックを行なっている（ステップＳＴ１→ステップＳＴ３→ステップＳＴ１）動作中において、操作者が図示せぬ操作釦を介してＦＭ多重放送モードを選択すると、マイクロコンピュータ１４は、ステップＳＴ３において、ＦＭ多重信号が選択されたことを認識してステップＳＴ４へと移行してスイッチ１９を制御し、定電圧部１８を高周波受信部１５に接続させ、自動利得調整部１３の電圧を強制的に定電圧にして利得を下げる。このＦＭ多重放送モード状態では、アンテナ１１がＦＭ多重放送波とテレビ放送波を受信し、その受信した電波が電気信号に変換されて高周波受信部１５に入力される。高周波受信部１５は、電気信号が入力されると、入力された電気信号から所定の周波数の電気信号を選出し、さらに選出した電気信号を周波数変換してＦＭ多重放送に関係する周波数の中間周波信号を選出し、選出した中間周波信号を音声検波部１６に入力する。そして、音声検波部１６は、中間周波信号が入力されると、入力された中間周波信号から音声信号を生成し、生成した音声信号をＴＶ信号・ＦＭ多重信号受信装置１２外に出力する。なお、このＦＭ多重放送モードのときには、映像検波部１７に電流は流れないので、テレビ放送モードのときのように、映像検波部１７に流れる電流を検出し、この電流に応じて高周波受信部１５の利得を制御する方法がとれない。すなわち、ＦＭ多重放送モードのときに、映像検波部１７に流れる電流を検出して利得を得ようとした場合では、自動利得調整が効かずに最大利得となり、強電界地域では相互変調により高周波受信部１５の利得が抑制されてしまう。しかし、ここでは定電圧部１８から高周波受信部１５に定電圧を強制的に付与して利得を下げるようにしているので、強電界において相互変調が生じても利得が抑制されることなくＦＭ多重放送波を受信することができる。マイクロコンピュータ１４はステップＳＴ４の処理を実行した後はステップＳＴ１に戻り、操作者による選択操作があったか否かのチェックを行なう。なお、以上の一連の、テレビ放送モード時およびＦＭ多重放送モード時におけるマイクロコンピュータ１４の処理動作は、ＦＭ多重放送受信対応テレビ受信装置１０がスイッチオフ操作されることにより終了する。
【００１８】
以上のように、本発明の第１の実施の形態におけるＦＭ多重放送受信対応テレビ受信装置１０では、一つの高周波受信部１５でテレビ放送波の受信とＦＭ多重放送波の受信を行うことができる。そして、テレビ放送モードのときには、映像検波部１７に流れる電流を検出して高周波受信部１５の利得を制御し、ＦＭ多重放送モードのときには定電圧部１８から高周波受信部１５に定電圧を強制的に付与して利得を下げるようにしているので、強電界であってもテレビ放送波、ＦＭ多重放送波の何れも良好に受信して再生することができる。
【００１９】
（実施の形態２）
次に、本発明の第２の実施の形態におけるＦＭ多重放送受信対応テレビ受信装置について、図面を参照しながら説明する。図３は本発明の第２の実施の形態に係るＦＭ多重放送受信対応テレビ受信装置の内部構成を示すブロック図である。本実施の形態２におけるＦＭ多重放送受信対応テレビ受信装置２１の構成は、図１に示した自動利得調整部１３の定電圧部１８に変えてインバータ２０を設けたものであり、他の構成は図１と同じなので、同じ部材には同じ符号を付して重複した説明は省略する。
【００２０】
インバータ２０は、音声検波部１６に流れる電流、すなわち音声中間周波を振幅検波した信号の振幅に比例してＡＧＣ電圧を高周波受信部１５に付与して利得を調整するもので、ＦＭ多重放送モードのときにスイッチ１９の切り替えで高周波受信部１５に強制的に接続される。そのスイッチの切り替えは、マイクロコンピュータ１４の操作により制御される。図４はマイクロコンピュータ１４によるスイッチ１９の切り替え手順を示すフロー図である。図４のフロー図とともに本実施の形態２におけるＦＭ多重放送受信対応テレビ受信装置２１の動作を次に説明する。
【００２１】
（テレビ放送モード時）
ＦＭ多重放送受信対応テレビ受信装置１０がスイッチオン操作された後のマイクロコンピュータ１４による操作者のモード選択操作のチェック（ステップＳＴ１１→ステップＳＴ１３→ステップＳＴ１１）は上記第１の実施の形態と同じである。そして、操作者が図示せぬ操作釦を介してテレビ放送モードを選択すると、マイクロコンピュータ１４は、ステップＳＴ１１からステップＳＴ１２へ移行し、スイッチ１９を制御して、インバータ２０を高周波受信部１５から切り離す。図４はこの状態を示している。このテレビ放送モード状態では、アンテナ１１がＦＭ多重放送波とテレビ放送波を受信し、その受信した電波が電気信号に変換されて高周波受信部１５に入力される。高周波受信部１５は、電気信号が入力されると、入力された電気信号から所定の周波数の電気信号を選出し、選出した電気信号を周波数変換してＴＶ放送に関係する周波数の中間周波信号を選出し、選出した中間周波信号を音声検波部１６に入力するとともに、入力された中間周波信号の中から映像信号に関係する周波数の中間周波信号を選出し、選出した中間周波信号を映像検波部１７に入力する。そして、音声検波部１６は、中間周波信号が入力されると、入力された中間周波信号から音声信号を生成し、生成した音声信号をＴＶ信号・ＦＭ多重信号受信装置１２外に出力する。また、映像検波部１７は、中間周波信号が入力されると、入力された中間周波信号から映像信号を生成し、生成した映像信号をＴＶ信号・ＦＭ多重信号受信装置１２外に出力する。さらに、このとき、自動利得調整部１３は、映像検波部１７に流れる電流を検出し、この電流に応じて高周波受信部１５の利得を制御することにより通常の自動利得調整を行なう。マイクロコンピュータ１４はステップＳＴ１２の処理を実行した後はステップＳＴ１１に戻り、操作者による選択操作があったか否かのチェックを行なう。
【００２２】
（ＦＭ多重放送モード時）
マイクロコンピュータ１４が、操作者によるモード選択操作があったか否かのチェックを行なっている（ステップＳＴ１１→ステップＳＴ１３→ステップＳＴ１１）動作中において、操作者が図示せぬ操作釦を介してＦＭ多重放送モードを選択すると、マイクロコンピュータ１４は、ステップＳＴ１３において、ＦＭ多重信号が選択されたことを認識してステップＳＴ１４へと移行してスイッチ１９を制御し、インバータ２０を高周波受信部１５に接続させる。そして、このＦＭ多重放送モード状態では、アンテナ１１がＦＭ多重放送波とテレビ放送波を受信し、その受信した電波が電気信号に変換されて高周波受信部１５に入力される。高周波受信部１５は、電気信号が入力されると、入力された電気信号から所定の周波数の電気信号を選出し、選出した電気信号を周波数変換してＦＭ多重放送に関係する周波数の中間周波信号を選出し、選出した中間周波信号を音声検波部１６に入力する。音声検波部１６は、中間周波信号が入力されると、入力された中間周波信号から音声信号を生成し、生成した音声信号をＴＶ信号・ＦＭ多重信号受信装置１２外に出力する。また、自動利得調整部１３では、スイッチ１９がインバータ２０側に接続されていることによって、音声検波部１６に流れる電流、すなわち音声中間周波信号を振幅検波した信号を用いて高周波受信部１５に対するＡＧＣ電圧を比例的に変化させ、利得を調整する。マイクロコンピュータ１４はステップＳＴ１４の処理を実行した後はステップＳＴ１１に戻り、操作者による選択操作があったか否かのチェックを行なう。なお、以上の一連の、テレビ放送モード時およびＦＭ多重放送モード時におけるマイクロコンピュータ１４の処理動作は、ＦＭ多重放送受信対応テレビ受信装置１０がスイッチオフ操作されることにより終了する。
【００２３】
以上のように、本発明の第２の実施の形態におけるＦＭ多重放送受信対応テレビ受信装置２１では、一つの高周波受信部１５でテレビ放送波の受信とＦＭ多重放送波の受信を行うことができ、しかもテレビ放送モードのときには、映像検波部１７に流れる電流を検出して利得を制御し、ＦＭ多重放送モードのときには音声検波部１６に流れる電流、すなわち音声中間周波信号を振幅検波した信号を用いて高周波受信部１５に対するＡＧＣ電圧を比例的に変化させ、利得を調整するようにしているので、強電界であってもテレビ放送波、ＦＭ多重放送波の何れも良好に受信して再生することができることなる。
【００２４】
（実施の形態３）
次に、本発明の第３の実施の形態におけるＦＭ多重放送受信対応テレビ受信装置について、図面を参照しながら説明する。図５は本発明の第３の実施の形態に係るＦＭ多重放送受信対応テレビ受信装置の内部構成を示すブロック図である。本実施の形態３におけるＦＭ多重放送受信対応テレビ受信装置２２の構成は、図１に示した自動利得調整部１３の定電圧部１３に代えて可変電圧部２３を、マイクロコンピュータ１４に代えて別の機能を付加したマイクロコンピュータ２４を設けたものであり、他の構成は図１と同じなので、同じ部材には同じ符号を付して重複した説明は省略する。
【００２５】
可変電圧部２３は、ＡＧＣ電圧を段階的に変化させるもので、音声中間周波信号を振幅検波した信号の電圧をマイクロコンピュータ２４で判断し、マイクロコンピュータ２４で制御している。このＡＧＣ電圧は、ＦＭ多重モードの時にスイッチ１９の切り替えで高周波受信部１５に強制的に接続され、利得を調整する。そのスイッチ切り替えは、マイクロコンピュータ２４の操作により制御される。図６は本実施の形態３におけるスイッチ切り替え動作処理手順の一例を示すフロー図である。図６のフロー図とともに、本実施の形態３におけるＦＭ多重放送受信対応テレビ受信装置２２の動作を次に説明する。
【００２６】
（テレビ放送モード時）
操作者が図示しない操作釦を介してテレビ放送モードを選択すると、マイクロコンピュータ２４は、ステップＳＴ２１からステップＳＴ２２へ移行し、スイッチ１９を制御して、可変電圧部２３を高周波受信部１５から切り離す。図６はこの状態を示している。このテレビ放送モード状態では、アンテナ１１がＦＭ多重放送波とテレビ放送波を受信し、その受信した電波が電気信号に変換されて高周波受信部１５に入力される。高周波受信部１５は、電気信号が入力されると、入力された電気信号から所定の周波数の電気信号を選出し、選出した電気信号を周波数変換してＴＶ放送に関係する周波数の中間周波信号を選出し、選出した中間周波信号を音声検波部１６に入力するとともに、入力された中間周波信号の中から映像信号に関係する周波数の中間周波信号を選出し、選出した中間周波信号を映像検波部１７に入力する。そして、音声検波部１６は、中間周波信号が入力されると、入力された中間周波信号から音声信号を生成し、生成した音声信号をＴＶ信号・ＦＭ多重信号受信装置１２外に出力する。また、映像検波部１７は、中間周波信号が入力されると、入力された中間周波信号から映像信号を生成し、生成した映像信号をＴＶ信号・ＦＭ多重信号受信装置１２外に出力する。さらに、このとき、自動利得調整部１３は、映像検波部１７に流れる電流を検出し、この電流に応じて高周波受信部１５の利得を制御する。
【００２７】
（ＦＭ多重放送モード時）
操作者が図示せぬ操作釦を介してＦＭ多重放送モードを選択すると、マイクロコンピュータ２４は、ステップＳＴ２１−ステップＳＴ２３−ステップＳＴ２４−ステップＳＴ２５−・・・−ステップＳＴ２８へと移行してスイッチ１９を制御し、可変電圧部２３の電圧値を決定し、可変電圧部２３を高周波受信部１５に接続させる。そして、このＦＭ多重放送モード状態では、アンテナ１１がＦＭ多重放送波とテレビ放送波を受信し、その受信した電波が電気信号に変換されて高周波受信部１５に入力される。高周波受信部１５は、電気信号が入力されると、入力された電気信号から所定の周波数の電気信号を選出し、選出した電気信号を周波数変換してＦＭ多重放送に関係する周波数の中間周波信号を選出し、選出した中間周波信号を音声検波部１６に入力する。音声検波部１６は、中間周波信号が入力されると、入力された中間周波信号から音声信号を生成し、生成した音声信号をＴＶ信号・ＦＭ多重信号受信装置１２外に出力する。また、自動利得調整部１３では、スイッチ１９が可変電圧部２３側に接続されていることによって、音声検波部１６に流れる電流、すなわち音声中間周波信号を振幅検波した信号の電圧をマイクロコンピュータ２４で判断し、マイクロコンピュータ２４により可変電圧部２３の電圧を変化させ高周波受信部１５に対するＡＧＣ電圧を比例的に変化させ、利得を調整する。
【００２８】
以上のように、本発明の第３の実施の形態におけるＦＭ多重放送受信対応テレビ受信装置２２では、一つの高周波受信部１５でテレビ放送波の受信とＦＭ多重放送波の受信を行うことができ、しかもテレビ放送モードのときには、映像検波部１７に流れる電流を検出して利得を制御する一方、ＦＭ多重放送モードのときには音声検波部１６に流れる電流、すなわち音声中間周波信号を振幅検波した信号の電圧をマイクロコンピュータ２４で判断し、マイクロコンピュータ２４により可変電圧部２３の電圧を変化させ高周波受信部１５に対するＡＧＣ電圧を比例的に変化させ、利得を調整するようにしているので、強電界であってもテレビ放送波、ＦＭ多重放送波の何れも良好に受信して再生することができることなる。
【００２９】
【発明の効果】
以上説明したように、本発明によれば、ＦＭ多重放送受信時には自動利得調整部の電圧を定電圧にする、あるいは音声中間周波信号を振幅検波した信号を用いて自動利得調整電圧を調整する等、自動利得調整部の電圧を強制的に変化させて利得を下げるので、強電界地域において相互変調が生じても利得が抑制されることなくＦＭ多重放送波を受信することができることというすぐれた効果を有するＦＭ多重放送受信対応テレビ受信装置を提供することができるものである。
【図面の簡単な説明】
【図１】本発明の第１の実施の形態に係るＦＭ多重放送受信対応テレビ受信装置の内部構成のブロック図
【図２】本実施の形態１におけるスイッチ切り替え処理手順の一例を示すフロー図
【図３】本発明の第２の実施の形態に係るＦＭ多重放送受信対応テレビ受信装置の内部構成のブロック図
【図４】本実施の形態２におけるスイッチ切り替え処理手順の一例を示すフロー図
【図５】本発明の第３の実施の形態に係るＦＭ多重放送受信対応テレビ受信装置の内部構成のブロック図
【図６】本実施の形態３におけるスイッチ切り替え処理手順の一例を示すフロー図
【図７】従来のＦＭ多重放送受信対応テレビ受信装置の内部構成のブロック図
【符号の説明】
１０，２１，２２　ＦＭ多重放送受信対応テレビ受信装置
１１　アンテナ
１２　ＴＶ信号・ＦＭ多重信号受信装置
１３　自動利得調整部
１４、２４　マイクロコンピュータ
１５　高周波受信部
１６　音声検波部
１７　映像検波部
１８　定電圧部
１９　スイッチ
２０　インバータ
２３　可変電圧部
【図１】
2004015244.tif 000003
【図２】
2004015244.tif 000004
【図３】
2004015244.tif 000005
【図４】
2004015244.tif 000006
【図５】
2004015244.tif 000007
【図６】
2004015244.tif 000008
【図７】
2004015244.tif 000009